(57)【要約】【課題】  照明光の均一性に優れた照明装置を提供する。【解決手段】  照明装置１０は、中央部に環状に配置される複数の光源部３１と、複数の光源部３１の外周側に配置される反射板３４と、を備え、複数の光源部３１は、外周側に向かって光を出射させる線状光源としてのＬＥＤモジュール３２と、ＬＥＤモジュール３２と対向して配置され、ＬＥＤモジュール３２から出射した光の配向を、互いに直交する２方向に対して制御する配向制御部材３３と、をそれぞれ有し、配向制御部材３３は、透光性を有する短冊状の部材からなり、ＬＥＤモジュール３２と対向する一方の面に一方の配向を制御する第１のプリズム群４０が設けられ、他方の面に他方の配向を制御する第２のプリズム群５０が設けられている。【選択図】図２
2016062752.tif 000002
【特許請求の範囲】
【請求項１】
中央部に環状に配置される複数の光源部と、
前記複数の光源部の外周側に配置される反射板と、を備え、
前記複数の光源部は、外周側に向かって光を出射させる線状光源と、該線状光源と対向して配置され、該線状光源から出射した光の配向を、互いに直交する２方向に対して制御する配向制御部材と、をそれぞれ有することを特徴とする照明装置。
【請求項２】
前記配向制御部材は、透光性を有する短冊状の部材からなり、前記線状光源と対向する一方の面に一方の配向を制御する第１のレンズが設けられ、他方の面に他方の配向を制御する第２のレンズが設けられていることを特徴とする請求項１に記載の照明装置。
【請求項３】
前記第１のレンズは、前記線状光源から出射した光の短手方向の配向を制御するレンズであり、長手方向に延びるように形成された一対の複数のフレネルプリズムと、該一対の複数のフレネルプリズムの外側にそれぞれ配置される一対の反射プリズムとを有することを特徴とする請求項２に記載の照明装置。
【請求項４】
前記一対の複数のフレネルプリズムの境界と、前記線状光源の光軸とが、短手方向に互いにずれていることを特徴とする請求項３に記載の照明装置。
【請求項５】
前記第２のレンズは、前記線状光源から出射した光の長手方向の配向を制御するレンズであり、短手方向に延びるように形成されたレンチキュラーであることを特徴とする請求項２から４のいずれか１項に記載の照明装置。
【請求項６】
前記線状光源は、短冊状の回路基板と、該回路基板の長手方向に沿って実装される複数の点状光源と、有することを特徴とする請求項１から５のいずれか１項に記載の照明装置。
【請求項７】
前記反射板は、外周側に湾曲部を有することを特徴とする請求項１から６のいずれか１項に記載の照明装置。
【発明の詳細な説明】
【技術分野】
【０００１】
本発明は、照明装置に関する。
【背景技術】
【０００２】
従来、室内に設置する照明装置として、光の出射面が円形状のシーリングライトが提案されている（特許文献１）。特許文献１の照明装置は、いわゆる中空式の照明装置であり、多角形状に配置された複数のＬＥＤモジュールと、複数のＬＥＤモジュールの外周側に配置され、ＬＥＤモジュールから放射状に出射された光を反射させる反射シートと、複数のＬＥＤモジュールおよび反射シートを覆うリングカバーと、を備えている。
【０００３】
ここで、反射シートは、中央部から外縁部に向かって内面側が凹状になるように緩やかに湾曲した円板部と、円板部の外周縁に立設された周壁部とを有するとともに、入射した光が乱反射しやすいように表面加工が施されている。このように照明装置を構成することによって、ＬＥＤモジュールから出射された光を反射シートにおいて多方向に反射させることができるので、照明装置の中央部から外縁部にかけて明るくすることができ、照度ムラの少ない略均一な照明光を得ることができる。
【先行技術文献】
【特許文献】
【０００４】
【特許文献１】特開２０１１−１９２４７５号公報
【発明の概要】
【発明が解決しようとする課題】
【０００５】
しかしながら、シーリングライトなどの室内に設置される照明装置には、より快適な生活空間を実現するために、更なる照明光の均一性が求められている。
【０００６】
本発明はこのような問題に鑑みて行われたものであり、照明光の均一性に優れた照明装置を提供することを目的とする。
【課題を解決するための手段】
【０００７】
上記課題を解決するために、（１）本発明の照明装置は、中央部に環状に配置される複数の光源部と、前記複数の光源部の外周側に配置される反射板と、を備え、前記複数の光源部は、外周側に向かって光を出射させる線状光源と、該線状光源と対向して配置され、該線状光源から出射した光の配向を、互いに直交する２方向に対して制御する配向制御部材と、をそれぞれ有する。
【０００８】
（２）上記（１）において、前記配向制御部材は、透光性を有する短冊状の部材からなり、前記線状光源と対向する一方の面に一方の配向を制御する第１のレンズが設けられ、他方の面に他方の配向を制御する第２のレンズが設けられている。
（３）上記（２）において、前記第１のレンズは、前記線状光源から出射した光の短手方向の配向を制御するレンズであり、長手方向に延びるように形成された一対の複数のフレネルプリズムと、該一対の複数のフレネルプリズムの外側にそれぞれ配置される一対の反射プリズムとを有す。
【０００９】
（４）上記（３）において、前記一対の複数のフレネルプリズムの境界と、前記線状光源の光軸とが、短手方向に互いにずれている。
（５）上記（２）から（４）のいずれか１に記載の照明装置において、前記第２のレンズは、前記線状光源から出射した光の長手方向の配向を制御するレンズであり、短手方向に延びるように形成されたレンチキュラーである。
（６）上記（１）から（５）のいずれか１項の記載の照明装置において、前記線状光源は、短冊状の回路基板と、該回路基板の長手方向に沿って実装される複数の点状光源と、有する。
（７）上記（１）から（６）のいずれか１項の記載の照明装置は、外周側に湾曲部を有する
【発明の効果】
【００１０】
本発明によれば、照明光の均一性に優れた照明装置を提供することができる。
【図面の簡単な説明】
【００１１】
【図１】本発明の実施形態に係る照明装置の構成を示す図である。
【図２】図１のＡ−Ａ断面図の一部を示す図である。
【図３】光源部の配向制御部材における第１のプリズム群について説明する図である。
【図４】光源部の配向制御部材における第２のプリズム群について説明する図である。
【図５】中空式照明部のみを点灯した際に照明装置から出射する光の、照明装置の中心軸を通る断面内の配向分布を解析した結果のグラフである。
【発明を実施するための形態】
【００１２】
以下、添付図面を参照して、本発明を実施するための形態（以下、実施形態）について詳細に説明する。なお、実施形態の説明の全体を通して同じ要素には同じ番号を付している。
【００１３】
（照明装置１０の全体構成）
図１は本発明の実施形態に係る照明装置の構成を示す図である。図２は図１のＡ−Ａ断面図の一部を示す図である。図１に示すように、照明装置１０は、一般的にペンダントライトと呼ばれるタイプの照明装置であり、全体として低背円筒状に形成され、中心部に配置される直下式の照明部（直下式照明部）２０と、直下式照明部２０の外周側に配置される中空式の照明部（中空式照明部）３０と、を備えている。
【００１４】
本発明の特徴部分は、中空式照明部３０にあるので、以下では、中空式照明部３０について説明する。なお、直下式照明部２０は、下方（被照射面側）に光を出射するように配置されたＬＥＤ（点状光源）と、ＬＥＤを覆うように下方に配置され、ＬＥＤから出射された光の配向を制御する板状の光学部材（レンズまたは拡散板）と、を有する照明部である。また、中空式照明部３０と直下式照明部２０は、それぞれ独立または同時に点灯できるように構成されている。
【００１５】
（中空式照明部３０の構成）
図２に示すように、中空式照明部３０は、多角形（本実施形態では、８角形）に配置される複数の線状の光源部３１と、光源部３１の外周側に湾曲部３５を有する平面視円板状の反射板３４と、反射板３４と上下方向に対向するように配置される円環状の拡散板３６と、拡散板３６の開口に配置され、複数の光源部３１を一体に覆う円環状の遮光カバー３７と、を備えている。なお、遮光カバー３７の開口に、前述の直下式照明部２０を構成する光学部材が配置されている。
本発明の特徴部分は、多角形に配置される各光源部３１であり、それ以外の部材には公知の技術を適用できるので、以下では、光源部３１について説明する。
【００１６】
（光源部３１の構成）
各光源部３１は、上記断面図に示したように、外周側に向かって光を発光するように構成されたＬＥＤモジュール（線状光源）３２と、ＬＥＤモジュール３２の外周側にＬＥＤモジュール３２と対向して配置され、ＬＥＤモジュール３２から出射された光の配向を、互いに直交する２方向に対してそれぞれ制御する配向制御部材３３と、を有する。ＬＥＤモジュール３２は、実装面が外周側を向くように垂設された短冊状の回路基板と、回路基板の長手方向に沿って実装された複数のＬＥＤを含んでいる。ＬＥＤは、本実施形態では白色ＬＥＤであるが、本発明では、これに限定されない。
【００１７】
配向制御部材３３は、ＬＥＤモジュール３２と対向するように一定の間隔を置いて垂設された短冊状の透光性部材であり、両面にそれぞれ線状の複数のプリズム（レンチキュラーを含む）が形成されている。両面のうち、ＬＥＤモジュール３２と対向する面（第１の面）には、ＬＥＤモジュール３２から出射された光の短手方向（上下方向、照明装置の厚さ方向）を含む平面内の配向（第１の配向）を制御する第１のプリズム群（第１のレンズ）４０が形成されている（図３参照）。
【００１８】
第１の面と対向する第２の面には、ＬＥＤモジュール３２から出射した光の長手方向（拡散板と平行な面方向、照明装置の面方向）の配向（第２の配向）を制御する第２のプリズム群（第２のレンズ）５０が形成されている（図４参照）。第１の配向と第２の配向とは、互いに直交する関係にある。
【００１９】
（第１のプリズム群４０）
図３は、光源部３１の配向制御部材３３における第１のプリズム群４０について説明する図である。図３に示すように、第１のプリズム群４０は、透光性を有する短冊状の部材からなり、第１の面の長手方向（拡散板と平行な方向）に延びるように形成され、短手方向の内側において互いに対向するように配置される一対のフレネルレンズ（複数のフレネルプリズム）４１と、一対のフレネルレンズ４１の外側にそれぞれの上下方向外側に配置される一対のＴＩＲレンズ（全反射プリズム）４２、４３を有している。
【００２０】
フレネルレンズ４１とは、入射した光の進行方向を屈折作用により制御するプリズムを複数並設したタイプのレンズであり、ＴＩＲレンズ４２、４３は、入射した光の進行方向を反射作用により制御するプリズムを複数並設したタイプのレンズである。フレネルレンズ４１とＴＩＲレンズ４２、４３とを組み合わせることにより、効率よく光の配向を制御することがきる。
【００２１】
なお、本発明では、拡散板から出射する光の配向を制御するとともに効率を高めるために、側面視した際の線状光源（各ＬＥＤ）の光軸（図の横軸の値０ｍｍに相当）に対して、一対のフレネルプリズムの境界位置をプラス側（下方、拡散板が配置される側）にずらしている。すなわち、一対の複数のフレネルプリズムの境界と、線状光源の光軸とが、短手方向に互いにずれている。また、一対のフレネルレンズ４１および一対のＴＩＲレンズ４２、４３は、それぞれ対称構造ではなく、配向および効率を考慮して非対称に設計されている。具体的には、反射板３４の外周側の端面近傍に多くの光が入射するように（光量の多い方向が、ＬＥＤの光軸に対してやや下向きとなるように）設計されている。
【００２２】
（第２のプリズム群５０）
図４は光源部３１の配向制御部材４０における第２のプリズム群５０について説明する図である。図４（ａ）に示すように、第２のプリズム群５０は、第２の面の短手方向（上下方向、照明装置１０の厚さ方向）に延びるように形成され、断面半円状の複数のプリズム（レンチキュラー）を有する。図４（ｂ）を参照して具体的に示すと、プリズム５１は、例えば、Ｒが０．３ｍｍ、Ｗが０．１ｍｍ、θが９．６°、Ｄが０．００４ｍｍである。
【００２３】
（効果の検証）
図５は、中空式照明部３０のみを点灯した際に照明装置１０から出射する光の、照明装置１０の中心軸を通る断面内の配向分布を解析した結果をグラフに示した図である。図中、「レンズ有」が配向制御部材３３が有りを示している。グラフから、配向制御部材（グラフ中の「レンズ」）３３を設けることにより、配向制御部材３３を設けない場合と比較して、外周側の照度が大きくなり、内周側から外周側にかけての照度が均一化されていることが分かる。また、配向制御部材３３を設けることにより、全体の光量が増加していることが分かる。これは、配向制御部材３３を設けない場合に、（ＬＥＤモジュール３２および配向制御部材３３を一体に覆う）遮光カバー３７に入射していた光を、配向制御部材３３の偏向機能によって遮光カバー３７に入射させないように制御できたことによるものである。すなわち、遮光カバー３７による吸収損失を抑制できたことによるものである。
【００２４】
本実施形態について説明したが、本発明は以下のような変形例にも適用することができる。上述したように光源部３１は平面視が８角形に限らず多角形構造であれば何角形であってもよい。また、中央部に配置される直下式照明部２０を省いて、例えば、中空式照明部３０のみからなる照明装置としてもよい。線状の光源部３１は、直線状である必要はなく、例えば、外周側に凸となるように、ＬＥＤモジュール３２および配向制御部材３３ともに湾曲していてもよい。第２のプリズム群５０についても、全てのプリズムが同一形状である必要はなく、例えば、隣接する光源部から出射される光との重なりを考慮して、長手方向の中心部と両端部とで形状を変えるようにしてもよい。第１のレンズと第２のレンズが形成される面が、互いに逆であってもよい。
【００２５】
以上、本実施形態では、直交する２方向に対する配向の制御を、１枚の板状のレンズを用いて達成しているので、中空式の照明装置の利点である軽量性を損なうことなく、照明光の均一性を向上させることができる。
【００２６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２７】
１０  照明装置
２０  直下式照明部
３０  中空式照明部
３１  光源部
３２  ＬＥＤモジュール
３３  配向制御部材
３４  反射板
３５  湾曲部
３６  拡散板
４０  第１のプリズム群
４１  フレネルレンズ
４２、４３  全反射レンズ
５０  第２のプリズム群
【図２】
2016062752.tif 000003
【図３】
2016062752.tif 000004
【図４】
2016062752.tif 000005
【図５】
2016062752.tif 000006
【図１】
2016062752.tif 000007